(57)【要約】【課題】緩衝性を有する封筒において、物品を収納して使用する際には緩衝性を有する封筒として機能するが、保管あるいは運搬時等の未使用状態では緩衝材がシート状になる事により必要容積を減少できることを課題とする【解決手段】一端に挿入用開口を有し他端を固着し有底とした紙により形成された外部袋体と、前記袋体内部に収納可能な紙により形成された２枚のシートを備えた構成である緩衝性を有する封筒であって、前記２枚のシートには前記封筒の開口端と平行するようにエキスパンドメタル状切り込みが設けられており、また一辺が前記袋体の開口端部に固着され、その辺に対向する辺同士が互いに固着されており、該シートの前記切り込みに垂直する方向の寸法が前記袋体の同方向の内寸より少なくなっていることで、使用する場合のみ緩衝性を有する封筒を構成した。【選択図】図１
2010202280.tif 000002
【特許請求の範囲】
【請求項１】
一端に挿入用開口を有し他端を固着し有底とした紙により形成された外部袋体と、前記外部袋体内部に収納可能な紙により形成された２枚のシートを備えた構成である緩衝性を有する封筒であって、前記２枚のシートには前記封筒の開口端と平行するようにエキスパンドメタル状切り込みが設けられており、また該シートの一辺は前記袋体の開口端部に固着され、その辺に対向する辺同士が互いに固着されており、該シートの前記切り込みに垂直する方向の寸法が前記外部袋体の同方向の内寸より少なくなっていることを特徴とする緩衝性を有する封筒。
【請求項２】
請求項１に記載の緩衝性を有する封筒において、
外部袋体、シートの少なくとも一方が樹脂により形成されていることを特徴とする緩衝性を有する封筒。
【請求項３】
請求項１および請求項２に記載の緩衝性を有する封筒において、
前記外部袋体および２枚のシートに加え、内部に少なくとも１枚の紙または樹脂により形成された台紙が挿入されており、該台紙は外部袋体内部に完全に収納できる寸法であるが、前記シートの切り込みに垂直する方向の寸法がシートの同方向の寸法より大きくなっていることを特徴とする緩衝性を有する封筒。
【請求項４】
請求項３に記載の緩衝性を有する封筒において、
内部に挿入されている台紙が２枚以上の場合、その台紙同士が外部袋体の開口側の辺を除く他の３辺の少なくとも１辺を固着していることを特徴とする緩衝性を有する封筒。
【発明の詳細な説明】
【技術分野】
【０００１】  本発明は、緩衝性を有する封筒に関するものである。
【背景技術】
【０００２】  従来この種の封筒は、第１のものとして複層樹脂製シート間に独立気泡群を形成したエアーキャップと称される緩衝材を袋体内面に設けた封筒等が知られている。また第２のものとして前記エアーキャップに替えて発泡ポリエチレンに代表される樹脂製フォーム材を使用したもの、第３として紙や樹脂繊維による綿状の緩衝材を使用したものが知られている。（例えば、特許文献１を参照）【０００３】
【特許文献１】特開２０００−６２７９３号公報
【発明の開示】
【発明が解決しようとする課題】
【０００４】  しかしながら、前記の封筒はいずれも緩衝材自体が厚みを有しているため、使用前の保管、運搬などの際には余分な容積を必要としていた。また廃棄の際には緩衝材と袋体を分別する必要が生じる場合もあった。
そこで本発明は物品を収納して使用する際には緩衝性を有する封筒として機能するが、保管あるいは運搬時等の未使用状態では上記緩衝材がシート状になり必要容積を減少し、在庫コストや運搬コストを削減することを課題とする。
【課題を解決するための手段】
【０００５】  本発明の請求項１に係る緩衝性を有する封筒は、一端に挿入用開口を有し他端を固着し有底とした紙により形成された外部袋体と、前記外部袋体内部に収納可能な紙により形成された２枚のシートを備えた構成である緩衝性を有する封筒であって、前記２枚のシートには前記外部袋体の開口端と平行するようにエキスパンドメタル状切り込みが設けられており、また該シートの一辺は前記外部袋体の開口端部に固着され、その辺に対向する辺同士が互いに固着されており、該シートの前記切り込みに垂直する方向の寸法が前記袋体の同方向の内寸より少なくなっていることを特徴とする。【０００６】  本発明の請求項２に係る緩衝性を有する封筒は、前記外部袋体、シートの少なくとも一方が樹脂により形成されていることを特徴とする。【０００７】  本発明の請求項３に係る緩衝性を有する封筒は、前記外部袋体および２枚のシートに加え、内部に少なくとも１枚の紙または樹脂により形成された台紙が挿入されており、該台紙は外部袋体内部に完全に収納できる寸法であるが、前記シートの切り込みに垂直する方向の寸法がシートの同方向の寸法より大きくなっていることを特徴とする。【０００８】  本発明の請求項４に係る緩衝性を有する封筒は、前記の内部に挿入されている台紙が２枚以上の場合、その台紙同士が外部袋体の開口側の辺を除く他の３辺の少なくとも１辺を固着していることを特徴とする。
【発明の効果】
【０００９】  本発明の請求項１に係る緩衝性を有する封筒は、外部袋体の内部に備えた２枚のシートが緩衝材として機能する構成となっている。該シートにはエキスパンドメタル状の切り込みを設けており、エキスパンドメタルの製造過程と同様、切り込みの方向に対して垂直方向に延伸する事によりシートは網目状となる。同時に該シート各部位の変形はシート厚み方向にも生じる為、結果的にシートは弾性を備えた緩衝材として機能するようになる。変形されたシートは元の形状に戻ろうとするため、延伸した状態を保つためには該シートをエキスパンドメタルのように塑性変形させるか、弾性変形状態のままで延伸する力を保つ必要がある。しかし緩衝材として機能させる為には、概ね弾性変形内に留めるのが望ましい。従って延伸する力を保っている必要性が生じる。【００１０】  緩衝材として機能する前記シートは、一辺が外部袋体の開口端部に固着されていることに加え、その辺に対向する辺同士が固着されている。その際、該シートの切り込みは前記外部袋体の開口部と平行になっている。該シートの切り込みに垂直する方向の寸法が前記外部袋体の同方向の内寸より少なくなっている為、外部袋体いっぱいに収容される物品を挿入すると該シートは延伸させられる。さらに外部袋体の開口部を封緘すると該シートは延伸した状態を保持する事になる。従って封緘されている限りは、該シートが緩衝材として機能する形状を保つことになる。【００１１】  封緘を解き、内部の物品を取り出すと、弾性変形していた該シートは延伸した状態を保持する力から解除され元の形状に復元する。該シートの厚み方向の変形もなくなり、元の厚さに戻ることになる。その結果、封筒はほぼ使用前の容積となるため、廃棄する場合でも必要容積を減少することができ、廃棄物としての容量の削減に寄与できる。【００１２】  また本発明の緩衝性を有する封筒は、前記外部袋体および緩衝材として機能するシートの全てが紙で形成されている構成を採用しているので、使用後は分別することなく再資源化が可能である。【００１３】  本発明の請求項２に係る緩衝性を有する封筒は、前記外部袋体および緩衝材として機能するシートの両方もしくは一方を樹脂シートで形成している構成を採用している。例えば防水性や耐湿性を必要とする場合、あるいは開封する事なく内容物を透過して確認する必要性がある場合、これらの性能を付加できる。また、外部袋体とシートを同一の樹脂で形成すれば、この場合も分別することなく廃棄が可能である。【００１４】  本発明の請求項３に係る緩衝性を有する封筒は、前記外部袋体および緩衝材として機能する２枚のシートに加え、内部に少なくとも１枚の紙または樹脂により形成された台紙が挿入されている。該台紙は外部袋体の内部に完全に収納できる寸法であるが、前記シートの切り込みに垂直する方向の寸法がシートの同方向の寸法より大きくなってなっている。前記シートを緩衝材として機能させるには、２枚のシートが互いに固着されている部分を押してシートを延伸する必要がある。しかし外部袋体に比較してかなり小さい物品を収容する場合などは、物品の代わりにこの台紙が前記２枚のシートの固着部を押す事によりシートを延伸させ、緩衝性を有する封筒として機能するようになる。【００１５】  本発明の請求項４に係わる緩衝性を有する封筒は、前記の台紙が２枚以上挿入されている場合、その台紙同士が外部袋体の開口側の辺を除く他の３辺の少なくとも１辺を固着している構成となっている。物品を収納する際、台紙と台紙の間に挟むことになるが、台紙同士が固着されていることにより、外部袋体に押し込む作業が容易になる。また開口側の辺に関しては、物品を収容した後に固着できるようフラップを設けておいてもよい。
【発明を実施するための最良の形態】
【００１６】  ［第１実施形態］
本発明の第１の実施形態を、図面を参照しながら説明する。図１は本実施形態に係る緩衝性を有する封筒１の概略構成図である。封筒１は、一端に挿入用開口を有し他端を固着し有底とした外部袋体２と、緩衝材として機能する２枚のシート３により構成される。またシート３には、開口端と平行するようにエキスパンドメタル状切り込み４が設けられている。また図２はシート３を前記切り込み４に垂直する方向に延伸した状態を示す。【００１７】  図３は本実施形態の切断線Ｘ−Ｘにおける断面図である。前記シート３は一辺が外部袋体２の開口部端部５に固着されており、対向する辺６が互いに固着されている。シート３の前記切り込み４に垂直する方向の寸法Ｌは外部袋体２の同方向の寸法Ｌ２より少なくなっている。【００１８】  図４は本実施形態において、物品７を外部袋体２の中に完全に挿入した状態の切断線Ｘ−Ｘにおける断面図である。シート３は延伸される事によりシート厚み方向にも変形を生じる。この変形によりシート３自体がアーチ状の突起が連立する形状となり、厚み方向からの加重に対して弾性を備えた緩衝材として機能するようになる。【００１９】  前記した実施形態では、外部袋体２と、緩衝材として機能する２枚のシート３を固着することにより、緩衝性を有する袋体１を構成しているが、例えば辺６で固着されている２枚のシート３は予め一体として形成してもよく、さらに開口部端部５で固着されている外部袋体２と、緩衝材として機能する２枚のシート３を予め一体として形成しておいても良い。図５は本発明の緩衝性を有する封筒１を単一のシートから形成する場合における概略構成図である。さらに外部袋体２には封緘用フラップ８が設けてあることが望ましいが、このフラップ８、もしくは外部袋体２本体のフラップ８と固着するべき箇所に接着テープ９を予め貼付しておいても良い。【００２０】  ［第２実施形態］
図６を用いて本発明の第２の実施形態の緩衝性を有する封筒１を、図面を参照しながら説明する。図６は封筒１に台紙１０を挿入した状態の概略構成図である。台紙１０は外部袋体２内部に完全に収納できる寸法であるが、シート３の切り込み４に垂直する方向の寸法Ｌより同方向の寸法Ｌ３が大きくなっている。よってシート３を延伸していない状態では、台紙１０が外部袋体２から一部はみだした状態となっている。図６で示すように、外部袋体２に比較してかなり小さい物品７を収容する場合などは、この台紙１０を外部袋体２に完全に収納するとシート３が変形され緩衝材として機能するようになる。また、台紙１０はシート３と辺６の部分で固着されていても良い。【００２１】  ［第３実施形態］
図７を用いて本発明の第３の実施形態の緩衝性を有する封筒１を、図面を参照しながら説明する。図７は前記封筒１に台紙１０を２枚挿入し、かつその開口側の辺１１以外の３辺を固着した状態の概略構成図である。この場合２枚の台紙１０を開口側の辺１１以外のいずれかの辺で一体として形成しても良く、さらに図７のように台紙１０の一方に封緘用フラップ１２を設けておけば、物品７を収納した後に封緘することにより、物品７が台紙１０の間で移動するのを妨げることができる。また、このフラップ１２部分、または台紙１０のフラップ１２と固着するべき箇所に接着テープ１３を予め貼付しておいても良い。【００２２】  ［実施形態の変形］
なお、以上説明した態様は本発明の一態様を示したものであり、本発明は前記した実施形態に限定されるものでなく、本発明の構成を備え、目的および効果を達成できる範囲内での変形や改良が、本発明の内容に含まれるものであることはいうまでも無い。
【図面の簡単な説明】
【００２３】
【図１】本発明の第１の実施形態に係る緩衝性を有する封筒１の概略構成図である。
【図２】シート３を切り込み４に垂直する方向に延伸した状態を示す図である。
【図３】本発明の第１の実施形態に係る緩衝性を有する封筒１の切断線Ｘ−Ｘにおける断面図である。
【図４】本発明の第１の実施形態に係る緩衝性を有する封筒１に物品７を完全に挿入した状態を示す、切断線Ｘ−Ｘにおける断面図である。
【図５】本発明の第１の実施形態に係る緩衝性を有する封筒１を単一のシートから形成する場合を示す概略構成図である。
【図６】本発明の第２の実施形態の緩衝性を有する封筒１の概略構成図である。
【図７】本発明の第３の実施形態の緩衝性を有する封筒１の概略構成図である。
【符号の説明】
【００２４】  １      緩衝性を有する封筒
２      外部袋体
３      シート
４      シート３に施された切り込み
５      外部袋体２とシート３の固着箇所
６      シート３同士の固着箇所
７      物品
８      フラップ
９      接着テープ
１０    台紙
１１    台紙１０の開口側の辺
１２    フラップ
１３    接着テープ
Ｘ−Ｘ  切断線
Ｌ      シート３の切り込み４に垂直する方向の寸法
Ｌ２    外部袋体２のＬと同方向の内寸
Ｌ３    台紙１０のＬと同方向の寸法
【図１】
2010202280.tif 000003
【図２】
2010202280.tif 000004
【図３】
2010202280.tif 000005
【図４】
2010202280.tif 000006
【図５】
2010202280.tif 000007
【図６】
2010202280.tif 000008
【図７】
2010202280.tif 000009